(57)【要約】【課題】非接触通信によって供給される電力によって発光するカードにおいて、発光状態を用いて真贋判定を行うことができるとともに、その発光状態を視認しやすくする。【解決手段】電力供給源から照射される電磁波を受信し、該電磁波の強さに応じた起電力を発生させるアンテナ２１と、供給された電流に応じた明るさで発光する有機ＥＬ素子と、アンテナ２１にて発生した起電力に基づいて、有機ＥＬ素子が所定の明るさを具備する発光状態となるために十分な電圧を生成する駆動電圧生成部４０と、駆動電圧生成部４０にて生成された電圧が、有機ＥＬ素子が上記発光状態となる電圧値よりもマージンを具備して低い値となる所定値以上となった場合にのみ、その電圧に応じた電流を有機ＥＬ素子に供給する定電流回路４３とを有する。【選択図】図２
2010182098.tif 000002
【特許請求の範囲】
【請求項１】
電力供給源から照射される電磁波を受信し、該電磁波の強さに応じた起電力を発生させるアンテナと、
供給された電流に応じた明るさで発光する有機ＥＬ素子と、
前記アンテナにて発生した起電力に基づいて、前記有機ＥＬ素子が所定の明るさを具備する発光状態となるために十分な電圧を生成する駆動電圧生成手段と、
前記駆動電圧生成手段にて生成された電圧が、前記有機ＥＬ素子が前記発光状態となる電圧値よりもマージンを具備して低い値となる所定値以上となった場合にのみ、当該電圧に応じた電流を前記有機ＥＬ素子に供給する電流供給手段とを有するカード。
【発明の詳細な説明】
【技術分野】
【０００１】
本発明は、非接触通信によって供給される電力によって発光するカードに関し、特に、発光状態の視認性の向上技術に関する。
【背景技術】
【０００２】
近年、情報化社会の進展に伴って、情報をカードに記録し、該カードを用いた情報管理や決済等が行われている。このような情報管理や決済等に用いられるカードは、ＩＣチップが内蔵されたＩＣカードや、磁気により情報が書き込まれた磁気カード等があり、専用の装置を用いて情報の書き込み及び読み出しが行われる。
【０００３】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードとがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みあるいは読み出しを行う際、カードを取り出して専用の装置に挿入する必要がなく取り扱いに便利なため、そのカード及び該カードに書き込まれた情報を読み取るための装置の急速な普及が進みつつある。
【０００４】
近年、このような非接触型ＩＣカードに発光機能を付加したものが考えられており、例えば、特許文献１に開示されている。この特許文献１に開示された非接触型ＩＣカードは、リーダライタに近接することによって起電力が生じた場合に、有機ＥＬ素子を発光させ、メモリに書き込まれた情報を表示することができるように構成されている。また、発光手段を内蔵することにより真贋判定を可能としたシートが特許文献２に開示されている。このシートにおいては、シート端辺に設けられた端子から電力が供給された場合に発光手段を発光させることにより、真贋判定を行うことができる。
【０００５】
そこで、上述したような技術を組み合わせることにより、リーダライタに近接することによって起電力が生じた場合、その起電力によって発光素子を発光させて真贋判定を行なうことが可能となる。
【先行技術文献】
【特許文献】
【０００６】
【特許文献１】特開２００８−２１７２１５号公報
【特許文献２】特開２００４−７８６０８号公報
【発明の概要】
【発明が解決しようとする課題】
【０００７】
しかしながら、上述したような従来の技術においては、発光状態を用いて真贋判定を行ったとしても、リーダライタに近接することによって起電力が生じるカードであれば、全てのカードの発光素子が光ることになるため、真贋判定を行うことができるとは言い難い。また、リーダライタに近接させる動作によっては、発光状態が一瞬となる場合があり、その場合、発光状態を確認することができず、真贋判定を行うことができなくなる虞れがある。特に、有機ＥＬ素子においては、明るさを一定なものとするために、有機ＥＬ素子に供給する電流を、有機ＥＬ素子が所定の明るさを有する発光状態となる値とするために定電流回路が用いられている場合があり、その場合、有機ＥＬ素子の明るさが一定なものとなるため、上述したように発光状態が一瞬となると、その発光状態を確認することが極めて困難となってしまうという問題点がある。
【０００８】
本発明は、上述したような従来の技術が有する問題点に鑑みてなされたものであって、非接触通信によって供給される電力によって発光するカードにおいて、発光状態を用いて真贋判定を行うことができるとともに、その発光状態を視認しやすくすることができるカードを提供することを目的とする。
【課題を解決するための手段】
【０００９】
上記目的を達成するために本発明は、
電力供給源から照射される電磁波を受信し、該電磁波の強さに応じた起電力を発生させるアンテナと、
供給された電流に応じた明るさで発光する有機ＥＬ素子と、
前記アンテナにて発生した起電力に基づいて、前記有機ＥＬ素子が所定の明るさを具備する発光状態となるために十分な電圧を生成する駆動電圧生成手段と、
前記駆動電圧生成手段にて生成された電圧が、前記有機ＥＬ素子が前記発光状態となる電圧値よりもマージンを具備して低い値となる所定値以上となった場合にのみ、当該電圧に応じた電流を前記有機ＥＬ素子に供給する電流供給手段とを有する。
【００１０】
上記のように構成された本発明においては、電力供給源から照射される電磁波がアンテナにて受信され、アンテナにて受信された電磁波の強さに応じた起電力が発生すると、駆動電圧生成手段において、アンテナにて発生した起電力に基づいて、有機ＥＬ素子が所定の明るさを具備する発光状態となるために十分な電圧が生成されて電流供給手段に供給される。電流供給手段においては、駆動電圧生成手段から供給された電圧に応じた電流が有機ＥＬ素子に供給され、有機ＥＬ素子が、電流供給手段から供給された電流に応じた明るさで発光することになる。ここで、電流供給手段においては、有機ＥＬ素子が所定の明るさを具備する発光状態になるように、駆動電圧生成手段から供給された電圧が所定値以上となった場合にのみその電圧に応じた電流が有機ＥＬ素子に供給されているが、その所定値が、有機ＥＬ素子が所定の明るさを具備する発光状態となる電圧値よりもマージンを具備して低い値となっているので、このカードが電力供給源に近づいていき、電力供給源から照射される電磁波の強さが強くなっていくと、有機ＥＬ素子には、駆動電圧生成手段から供給された電圧が上記所定値になった際にその所定値に応じた電流が流れ始め、その後、駆動電圧生成手段から供給された電圧が、有機ＥＬ素子が所定の明るさを具備する発光状態となるために十分な電圧となってその電圧に応じた電流が流れるまで、この電流の変化によって有機ＥＬ素子の明るさが明るくなっていく。また、このカードが電力供給源から遠ざかり、電力供給源から照射される電磁波の強さが弱くなっていくと、これとは逆に、有機ＥＬ素子には、駆動電圧生成手段から供給された電圧が上記所定値になるまで、その電流値が徐々に少なくなっていきながら電流が流れ、この電流の変化によって有機ＥＬ素子の明るさが暗くなっていく。
【発明の効果】
【００１１】
以上説明したように本発明においては、電力供給源から照射される電磁波を受信し、電磁波の強さに応じた起電力を発生させるアンテナと、供給された電流に応じた明るさで発光する有機ＥＬ素子と、アンテナにて発生した起電力に基づいて、有機ＥＬ素子が所定の明るさを具備する発光状態となるために十分な電圧を生成する駆動電圧生成手段と、駆動電圧生成手段にて生成された電圧が、有機ＥＬ素子が上記発光状態となる電圧値よりもマージンを具備して低い値となる所定値以上となった場合にのみ、その電圧に応じた電流を有機ＥＬ素子に供給する電流供給手段とを有する構成としたため、電流供給手段から有機ＥＬ素子に電流を供給するための電圧の所定値を、電力供給源から照射される電磁波の強さに応じて有機ＥＬ素子が所定の発光状態となる電圧値よりもマージンを具備して低い値とすれば、カードを電力供給源に近づけた場合や電力供給源から遠ざけた場合において有機ＥＬ素子の発光状態が変化することとなり、それにより、有機ＥＬ素子の発光状態を用いて真贋判定を行うことができるとともに、その発光状態を視認しやすくすることができる。
【図面の簡単な説明】
【００１２】
【図１】本発明のカードの実施の一形態を示す図であり、（ａ）は表面図、（ｂ）は（ａ）に示したＡ−Ａ’断面図、（ｃ）は内部構造を示す図である。
【図２】図１に示した制御回路の一構成例を示すブロック図である。
【図３】図１及び図２に示したカードの動作を説明するための図である。
【図４】図２に示した昇圧定電圧回路の動作を説明するための図である。
【図５】図２に示した定電流回路の動作を説明するための図であり、（ａ）は等価回路図、（ｂ）は入力電圧に対する出力電流の特性を示す図である。
【図６】図１に示した制御回路の他の構成例を示すブロック図である。
【図７】図６に示した制御回路を有するカードを用いて決済を行う場合の動作を説明するためのフローチャートである。
【発明を実施するための形態】
【００１３】
以下に、本発明の実施の形態について図面を参照して説明する。
【００１４】
図１は、本発明のカードの実施の一形態を示す図であり、（ａ）は表面図、（ｂ）は（ａ）に示したＡ−Ａ’断面図、（ｃ）は内部構造を示す図である。
【００１５】
本形態は図１に示すように、絶縁材料からなる基板２０と、透明な材料からなる保護フィルム３４と、表面シート１０とが積層され、透明な粘着剤１５によってこれらが互いに接着されて構成されている。
【００１６】
基板２０には、保護フィルム３４との積層面に、コイル状のアンテナ２１が基板２０の外周に沿って形成されているとともに、アンテナ２１の内側の領域に表示電極３１ａ〜３１ｃが形成されている。この表示電極３１ａ〜３１ｃはそれぞれ、カード１にて表示すべき情報を示す形状を有し、表示電極３１ａは“Ａ”、表示電極３１ｂは“Ｂ”、表示電極３１ｃは“Ｃ”の形状を有している。表示電極３１ａ〜３１ｃ上には、有機ＥＬ素子からなる有機ＥＬ発光層３３がそれぞれ積層されており、この有機ＥＬ発光層３３を覆うようにＩＴＯ３２が積層されている。また、基板２０の保護フィルム３４との積層面には、アンテナ２１にて生じた起電力に基づいて表示電極３１ａ〜３１ｃ及びＩＴＯ３２を介して有機ＥＬ発光層３３に電流を供給する制御回路３５が設けられており、アンテナ２１は制御回路３５と接続され、表示電極３１ａ〜３１ｃ及びＩＴＯ３２は、基板２０上に形成された配線パターン３６ａ，３７ｂを介して制御回路３５にそれぞれ接続されている。
【００１７】
有機ＥＬ発光層３３は、例えばポリシラン誘導体を含む有機ＥＬ素子からなり、表示電極３１ａ〜３１ｃに電圧が印加されることにより電流が供給されると、ポリシラン誘導体が発光し、その発光状態がＩＴＯ３２、保護フィルム３４及び表面シート１０を介して視認されることになる。この有機ＥＬ発光層３３は、表示電極３１ａ〜３１ｃと同一の形状を有するものであれば、表示電極３１ａ〜３１ｃに電圧が印加されることにより電流が供給された場合に、表示電極３１ａ〜３１ｃの形状に発光することができるが、表示電極３１ａ〜３１ｃをそれぞれ覆うように表示電極３１ａ〜３１ｃよりも大きな形状を有するものとすることにより、表示電極３１ａ〜３１ｃ間、または、表示電極３１ａ〜３１ｃとＩＴＯ３２との間における電気的短絡を防止することができるようになる。
【００１８】
表面シート１０は、表示電極３１ａ〜３１ｃ及び有機ＥＬ発光層３３に対向する領域に、表示電極３１ａ〜３１ｃ及び有機ＥＬ発光層３３と同一形状を有する窓部１１ａ〜１１ｃが形成されている。この窓部１１ａ〜１１ｃは、表面シート１０が透明な材料から構成され、窓部１１ａ〜１１ｃ以外の領域が着色されることにより形成される。
【００１９】
図２は、図１に示した制御回路３５の一構成例を示すブロック図である。
【００２０】
本例における制御回路３５は図２に示すように、アンテナ２１にて発生した起電力に基づいて、有機ＥＬ発光層３３が所定の明るさを具備する発光状態となるために十分な電圧を生成する駆動電圧生成部４０と、駆動電圧生成部４０にて生成された電圧が、有機ＥＬ発光層３３が上記発光状態となる電圧値よりもマージンを具備して低い値となる所定値以上となった場合にのみ、その電圧に応じた電流を、表示電極３１ａ〜３１ｃ及びＩＴＯ３２を介して有機ＥＬ発光層３３に供給する電流供給手段である定電流回路４３とから構成されており、駆動電圧生成部４０は、アンテナ２１にて発生した起電力による電圧を整流する整流回路４１と、整流回路４１にて整流された電圧を、有機ＥＬ発光層３３が上記発光状態となるために十分な電圧まで昇圧するとともに、その上限電圧を制限して出力する昇圧定電圧回路４２とから構成されている。
【００２１】
以下に、上記のように構成されたカード１の動作について説明する。
【００２２】
まず、図１及び図２に示したカード１の基本動作について説明する。
【００２３】
図３は、図１及び図２に示したカード１の動作を説明するための図である。
【００２４】
図１に示したカード１を動作させる場合は、図３（ａ）に示すように、コイル状のアンテナ２ａが内蔵されたリーダライタ２にカード１を近接させる。リーダライタ２は、アンテナ２ａに流れる電流によって、アンテナ２ａのコア部分から放出される方向に磁界が発生している。この状態で、カード１をリーダライタ２に近接させると、アンテナ２ａを流れる電流によって発生した磁界が、カード１のアンテナ２１に照射されてアンテナ２１のコイル状のコア部分を貫通し、電磁誘導により、カード１のアンテナ２１にて起電力が生じる。
【００２５】
アンテナ２１にて起電力が生じると、まず、制御回路３５の整流回路４１において、アンテナ２１にて生じた起電力による電圧が整流され、次に、制御回路３５の昇圧定電圧回路４２において、整流回路４１にて整流された電圧が、有機ＥＬ発光層３３が所定の明るさを具備する発光状態となるために十分な電圧まで昇圧されるとともに、その上限電圧が制限して出力される。なお、アンテナ２１にて生じる起電力は、アンテナ２ａを流れる電流によって発生した磁界がアンテナ２１のコイル状のコア部分を貫通する磁束密度の大きさに応じたものとなっており、カード１がリーダライタ２に近いほどアンテナ２１にて生じる起電力は大きなものとなる。
【００２６】
図４は、図２に示した昇圧定電圧回路４２の動作を説明するための図である。
【００２７】
図２に示した昇圧定電圧回路４２においては、入力される電圧に対して３倍の昇圧度を有しており、また、出力電圧の上限として１５Ｖが設定されている。そのため、図４に示すように、整流回路４１から出力された電圧が５Ｖとなるまで、入力された電圧に対して３倍の電圧が出力され、整流回路４１から出力された電圧が５Ｖとなった場合に１５Ｖの電圧が出力され、その後は、整流回路４１から出力された電圧が５Ｖ以上となっても１５Ｖの電圧が出力される。なお、出力電圧の上限値は、有機ＥＬ発光層３３が所定の明るさを具備する発光状態となるために十分な値として設定されており、有機ＥＬ発光層３３の発光によって得たい明るさに応じて適宜設定することができる。
【００２８】
その後、制御回路３５の定電流回路４３において、昇圧定電圧回路４２から出力された電圧に応じた電流が、表示電極３１ａ〜３１ｃ及びＩＴＯ３２を介して有機ＥＬ発光層３３に供給される。
【００２９】
すると、表示電極３１ａ〜３１ｃとＩＴＯ３２とに挟み込まれた有機ＥＬ発光層３３が、表示電極３１ａ〜３１ｃの形状に発光し、その発光状態が、図３（ｂ）に示すように、ＩＴＯ３２、保護フィルム３４及び表面シート１０の窓部１１ａ〜１１ｃを介して視認されることになる。
【００３０】
次に、本形態の特徴について説明する。
【００３１】
有機ＥＬ発光層３３においては、流れる電流の大きさに応じてその明るさが変化するが、有機ＥＬ素子の内部抵抗は起動時と安定時において変化するため、一定の電圧が供給された場合であっても、起動時と安定時においてその明るさが変化してしまう。そこで、このような明るさの変化を回避するため、図３に示したようなリーダライタ２に近接することによって生じた起電力による電圧が所定値となった場合に、有機ＥＬ発光層３３に一定の電流を供給する定電流回路４３が用いられている。
【００３２】
図５は、図２に示した定電流回路４３の動作を説明するための図であり、（ａ）は等価回路図、（ｂ）は入力電圧に対する出力電流の特性を示す図である。
【００３３】
図５（ａ）に示すように、図２に示した定電流回路４３は、昇圧定電圧回路４２から出力された電圧が電源５１から供給され、有機ＥＬ素子層３３に直列に接続されたツェナーダイオード５２と、このツェナーダイオード５２を介して有機ＥＬ素子層３３に電流を供給する定電流源５３とから構成された回路構成と等価になっている。ツェナーダイオード５２は、１０Ｖの電圧が印加された場合に定電流源５３からの電流を有機ＥＬ素子層３３に供給する。また、定電流源５３は、その内部抵抗が変化することにより、１５Ｖの電圧が印加された場合に１ｍＡの電流を安定して生成、出力する。なお、ツェナーダイオード５２にて電流を流し始める電圧は、このカード１を用いるリーダライタ２のアンテナ２ａから照射される電磁波の強さに応じて、有機ＥＬ発光層３３が所定の発光状態となる電圧値よりもマージンを具備して低い値となっている。本形態においては、リーダライタ２のアンテナ２ａから照射される電磁波の強さに基づいて昇圧定電圧回路４２から出力される電圧が１５Ｖである場合の有機ＥＬ発光層３３の発光状態を所定の発光状態とし、その１５Ｖよりもマージンを具備して低い１０Ｖとしている。
【００３４】
上記のように構成された定電流回路４３においては、図５（ｂ）に示すように、昇圧定電圧回路４２から出力された電圧が電源５１から供給されると、その電圧が１０Ｖになるまでは、定電流源５３からの電流はツェナーダイオード５２によって有機ＥＬ素子層３３に供給されない。そして、昇圧定電圧回路４２から出力された電圧が１０Ｖになると、定電流源５３からの電流が有機ＥＬ素子層３３に供給されはじめる。定電流源５３から有機ＥＬ素子層３３に供給される電流は、昇圧定電圧回路４２から出力された電圧が高くなるにつれて増加していく。そして、昇圧定電圧回路４２から出力された電圧が１５Ｖになると、定電流源５３から有機ＥＬ素子層３３に供給される電流が１ｍＡとなって安定する。
【００３５】
このように、図２に示した定電流回路４３においては、昇圧定電圧回路４２から出力された電圧が、昇圧定電圧回路４２において有機ＥＬ発光層３３が所定の明るさを具備する発光状態となるために十分な電圧として設定された上限値である１５Ｖよりも５Ｖのマージンを具備して低い値となる１０Ｖ以上となった場合にのみ、昇圧定電圧回路４２から出力された電圧に応じた電流が、表示電極３１ａ〜３１ｃ及びＩＴＯ３２を介して有機ＥＬ発光層３３に供給されることになる。そのため、昇圧定電圧回路４２から出力された電圧が１０Ｖとなってから、昇圧定電圧回路４２から出力された電圧が１５Ｖとなるまでの間、定電流回路４３から表示電極３１ａ〜３１ｃ及びＩＴＯ３２を介して有機ＥＬ発光層３３に供給される電流が徐々に増加していくこととなり、この電流の変化によって、有機ＥＬ発光層３３の有機ＥＬ素子の明るさが徐々に明るくなっていく。また、その逆に、昇圧定電圧回路４２から出力された電圧が１５Ｖである状態から、昇圧定電圧回路４２から出力された電圧が１０Ｖとなるまでの間、定電流回路４３から表示電極３１ａ〜３１ｃ及びＩＴＯ３２を介して有機ＥＬ発光層３３に供給される電流が徐々に減少していくこととなり、この電流の変化によって、有機ＥＬ発光層３３の有機ＥＬ素子の明るさが徐々に暗くなっていく。
【００３６】
上述したように本形態においては、定電流回路４３において、昇圧定電圧回路４２から出力された電圧が、昇圧定電圧回路４２にて上限値として設定された１５Ｖよりも５Ｖのマージンを具備して低い値となる１０Ｖ以上となった場合にのみ、昇圧定電圧回路４２から出力された電圧に応じた電流が、表示電極３１ａ〜３１ｃ及びＩＴＯ３２を介して有機ＥＬ発光層３３に供給されるので、カード１を図３に示した電力供給源となるリーダライタ２に近づけたりリーダライタ２から遠ざけたりして、リーダライタ２のアンテナ２ａにて生じた磁界のアンテナ２１における磁束密度の大きさが変化して昇圧定電圧回路４２から出力された電圧が変化した場合に、昇圧定電圧回路４２から出力された電圧が１０Ｖと１５Ｖとの間にて有機ＥＬ発光層３３の発光状態が変化することとなり、この発光状態の変化の有無によってカード１の真贋判定を行うことができるとともに、発光状態の変化によってその発光状態を視認しやすくすることができる。
【００３７】
上述した本形態においては、非接触状態にて外部から供給される電力によって情報を表示する機能のみを有するカード１を例に挙げて説明したが、一般的な非接触型ＩＣカードのように、情報の書き込みや読み出しが可能なＩＣチップを搭載し、非接触状態にて情報の書き込みや読み出しを可能とする機能を付加することもできる。
【００３８】
図６は、図１に示した制御回路３５の他の構成例を示すブロック図である。
【００３９】
本例における制御回路３５は図６に示すように、図２に示したものに対して、通信部４９が追加されているとともに、通信部４９の制御によって整流回路４１と昇圧定電圧回路４２との接続を切り離すスイッチ部４４を有する点のみが異なるものである。通信部４９は、整流機能や変復調機能を具備し、アンテナ２１を介してリーダライタ２（図３参照）との間にて情報の送受信を行う無線部４５と、情報が記憶されたメモリ４７と、無線部４５における情報の送受信動作を制御する通信制御部４６と、通信制御部４６の制御によって整流回路４１と昇圧定電圧回路４２との接続を切り離すための信号を出力するＩ／Ｆ部４８とから構成されている。
【００４０】
以下に、上記のように構成された制御回路３５を有するカード１の動作について、カード１を用いて決済を行う場合を例に挙げて説明する。
【００４１】
図７は、図６に示した制御回路３５を有するカード１を用いて決済を行う場合の動作を説明するためのフローチャートである。
【００４２】
図６に示した制御回路３５を有するカード１を用いて決済を行うために、図３に示したものと同様にカード１をリーダライタ２に近接させると、上述したようにアンテナ２１に起電力が生じ、リーダライタ２とカード１との間にて非接触通信が開始されるとともに（ステップＳ１）、上述した有機ＥＬ発光層３３の発光動作が開始する。
【００４３】
そして、通信制御部４６の制御によって、メモリ４７に記憶された情報が読み出され、その情報が無線部４５及びアンテナ２１を介してリーダライタ２に送信されたり、リーダライタ２から送信された情報がアンテナ２１及び無線部４５を介して通信制御部４６に受信されたりすることにより、所定の決済処理が行われる（ステップＳ２）。
【００４４】
決済が完了していない状態においては、通信制御部４６を構成するＩＣチップのうち、整流回路４１と昇圧定電圧回路４２との接続を切り離すための信号を出力するポート端子がＨＩＧＨレベルとなっており（ステップＳ３）、このＨＩＧＨレベルによる信号がＩ／Ｆ部４８を介してスイッチ部４４に供給されている。スイッチ部４４を構成するスイッチング素子は、ＨＩＧＨレベルによる信号が供給されている場合は導通状態となっており（ステップＳ４）、それにより、整流回路４１と昇圧定電圧回路４２とが接続された状態となり、上述したような有機ＥＬ発光層３３の発光動作が行われている。
【００４５】
その後、決済が完了すると、通信制御部４６を構成するＩＣチップの上記ポート端子がＬＯＷレベルとなり（ステップＳ５）、このＬＯＷレベルによる信号がＩ／Ｆ部４８を介してスイッチ部４４に供給される。スイッチ部４４を構成するスイッチング素子は、ＬＯＷレベルによる信号が供給されている場合は非導通状態となり（ステップＳ６）、それにより、整流回路４１と昇圧定電圧回路４２との接続が遮断された状態となり、有機ＥＬ発光層３３の発光動作が停止する。
【００４６】
これにより、カード１を用いた決済において、その決済が完了したかどうかを視覚的に認識することができるようになる。なお、スイッチ部４４は、整流回路４１と昇圧定電圧回路４２との間に設けることに限らず、昇圧定電圧回路４２と定電流回路４３との間に設けてもよい。
【００４７】
なお、上述した実施の形態においては、電磁誘導によって電流が流れるアンテナ２１を用いたものを例に挙げて説明したが、照射される電波に共振して電流が流れるアンテナを用いたものであってもよい。
【００４８】
また、図１に示したカード１においては、有機ＥＬ発光層３３を覆うようにＩＴＯ３２が積層されているが、本発明のカードにおいては、レアメタルを使用しない透明電極や透明導電膜等をＩＴＯ３２の代わりに用いてもよい。
【符号の説明】
【００４９】
１    カード
２    リーダライタ
２ａ，２１    アンテナ
１０    表面シート
１１ａ〜１１ｃ    窓部
１５    粘着剤
２０    基板
３１ａ〜３１ｃ，１３１    表示電極
３２    ＩＴＯ
３３    有機ＥＬ発光層
３４    保護フィルム
３５    制御回路
３６ａ，３６ｂ    配線パターン
４０    駆動電圧生成部
４１    整流回路
４２    昇圧定電圧回路
４３    定電流回路
４４    スイッチ部
４５    無線部
４６    通信制御部
４７    メモリ
４８    Ｉ／Ｆ部
４９    通信部
５１    電源
５２    ツェナーダイオード
５３    定電流源
【図１】
2010182098.tif 000003
【図２】
2010182098.tif 000004
【図３】
2010182098.tif 000005
【図４】
2010182098.tif 000006
【図５】
2010182098.tif 000007
【図６】
2010182098.tif 000008
【図７】
2010182098.tif 000009